(57)【特許請求の範囲】
【請求項１】
広告を記した広告シートを着脱自在に装着し、柱状建造物に巻付けて広告を表示する、厚み方向に弾性を有する帯状の緩衝性広告表示体であって、
前記柱状建造物に接触する裏面側を形成する柔軟性シートと、
前記柔軟性シートの両端を係合する係合部と、
前記柔軟性シートを分断して形成された対向辺相互を連結する連結部材により前記柱状建造物への巻付長を自在に調整する調整部と、
前記係合部及び前記調整部が形成された領域を除く前記柔軟性シートの表面領域全体に貼着された弾性部材と、を有することを特徴とする緩衝性広告表示体。
【請求項２】
前記柔軟性シートは、前記裏面側の２つの長辺に第１の面ファスナを有するものであって、
前記広告シートは、前記弾性部材表面上に展張された２つの長辺それぞれを前記柔軟性シート側に折り曲げて、該広告シートの裏面の２つの長辺に貼着された第2の面ファスナを前記第１の面ファスナに係合させることにより着脱自在に装着されることを特徴とする請求項１記載の緩衝性広告表示体。
【請求項３】
前記係合部は、前記柔軟性シートの２つの短辺に接合された雌雄のファスナからなることを特徴とする請求項１記載の緩衝性広告表示体。
【請求項４】
前記調整部は、前記対向辺それぞれの縁に複数の係止部を有し、該対向辺それぞれの該係止部に前記連結部材を交互に係止することにより該対向辺相互を自在に連結するものであることを特徴とする請求項１記載の広告表示体。
【請求項５】
前記柔軟性シートは、前記２つの長辺それぞれの縁に、弾性棒状体を備えることを特徴とする請求項２記載の緩衝性広告表示体。
【請求項６】
前記広告シートは、前記２つの長辺それぞれの、前記柔軟性シート側に折り曲げる位置に、弾性棒状体を備えることを特徴とする請求項２記載の緩衝性広告表示体。
【請求項７】
両端相互を係合する係合部及び長さを調整する調整部を有する帯状の広告表示体であって、裏面側の２つの長辺の縁に第１の面ファスナを有するものに、広告を記した広告シートを着脱自在に装着し、柱状建造物に広告を表示する広告表示方法であって、
前記広告シートの裏面上に、裏面側を上にした前記広告表示体を載置し、
前記広告シートの２つの長辺それぞれを該広告表示体の裏面側に折り曲げて、該広告シートの前記第１の面ファスナに係合する位置に第２の面ファスナを貼着し、前記広告シートを前記広告表示体に着脱自在に装着することを特徴とする広告表示方法。
【請求項８】
前記広告シートの前記２つの長辺それぞれの、前記広告表示体裏面側への折り曲げ位置に弾性棒状体を設置し、該弾性棒状体が設置された前記広告シートの裏面上に、前記広告表示体を載置することを特徴とする請求項７記載の広告表示方法。
【請求項９】
前記調整部は、前記広告表示体を分断して形成された対向辺それぞれの縁に設けられた複数の係止部と、該対向辺それぞれの該係止部に交互に係止させ、該対向辺相互を連結する連結部材とを有するものであって、
前記広告シートが装着された前記広告表示体の前記調整部が具有する前記連結部材の連結を緩めて前記対向辺相互の間隔を拡げた後に、前記広告表示体を所定の柱状構造物に巻付け、
前記係合部で両端相互を係合した後に、前記連結部材による連結を絞って前記間隔を縮小し、前記広告表示体を前記柱状建造物に固定することを特徴とする請求項７又は８記載の広告表示方法。
【発明の詳細な説明】
【技術分野】
【０００１】
本発明は、広告シートを着脱自在に装着し、柱状建造物に巻付けて広告を表示する、厚み方向に弾性を有する緩衝性広告表示体及び広告表示方法に関するものである。
【背景技術】
【０００２】
近年、大型の柱に支えられた、大規模空間を有する建築物が増加している。それら大型の柱は、人通りの多い目立つ場所に設置される場合が多いので、絶好の広告表示媒体となる。また、市街地に設置された高速道路やモノレール等の橋脚も各種イベントや催事案内等を表示する格好の広告表示媒体となる。
しかしながら、それら建造物は、ボルトやビスなどを打ち込むことが禁じられているため、広告が記されたシートを装着した広告表示体をそれらの建造物に取り付けることが困難になっている。このため、紙などに印刷した広告を大型の柱や橋脚に直接糊付けする例や、粘着テープ止めして安直に表示する例がしばしば見受けられる。それらの広告は、イベントや催事が終了した後に撤去されることとなるが、その際、大型の柱や橋脚の表面を傷つけたり、塗料を剥落させてしまったり、一部分が残ってしまうなど、撤去跡の醜さを曝す例が少なからず見受けられる。一方、人通りの多い場所に設置された大型柱や車両が通行する場所に設置された柱は、人がぶつかったり、車両が誤って接触・衝突する恐れがある。そこで、シート層とクッション材層とからなり、電柱に巻きつけた上下両端をバンドで固定し、警告文や広告を表示する電柱用緩衝部材が提案されている（特許文献１参照）。また、立て看板や懸垂幕は平面的であり、側方からの視認性に欠けるとともに、表現性も低いという特質がある。そこで、空気袋を柱状体に巻きつけ、連結具で結合する一方、空気袋に空気を充填し、膨張させて内周を柱の外周に圧接させて固定し、立体的な広告効果を得る広告表示体が提案されている（特許文献２参照）。さらに、昨今盛んにおこなわれている販売促進イベントにおいて、簡易かつ手軽に使用でき、宣伝効果のあがるイベント用具として、筒状体に広告をプリントした巻着体を着脱自在に巻きつけ、その巻着体をイベントに応じて取り換え可能にしたものが提案されている（特許文献３参照）。
【特許文献１】特開平１０−８７７４号公報
【特許文献２】特開２００１−５１６３４号公報
【特許文献３】登録実用新案第３０５９３０３号
【発明の開示】
【発明が解決しようとする課題】
【０００３】
しかしながら、特許文献１に開示された方法は、シート層の表面に警告、広告その他の表示を行い、裏面にはクッション層が接着され、そのクッション層を巻き付けて電柱に固定されるので、クッション層が電柱で摩擦され、毀損する恐れがあり、繰り返し使用には不向きである。また、特許文献２で開示された空気を充填する方法は、温度差の大きい場所などでは空気漏れなどの対策が必要となり、屋外設置には不向きである。さらに、特許文献３で開示された方法は、広告がプリントされた巻付体を筒状体に粘着テープ等で固定するだけの簡易なものであり、屋外に設置したり、人通りの多い場所に設置するには適さない。
そこで、クッション層の表面を耐摩耗性のシートで被覆し、クッション層が直接電柱で摩擦されないようにする方法も考えられる。しかしながら、広告表示体自体の重量が重くなるうえ、広告シートを装着すると重量が益々重くなるので、大型柱への巻き付け作業が大変になる。また、クッション層に代えて気体を封入した袋部とする方法も考えられるが、建造物に巻き付けたときに、上下両端付近の広告表示に歪みが生じるほか、温度差の激しい場所などでは管理上の問題が生じる。
本発明は、かかる事情に鑑み、大型柱などの各種建造物に容易に着脱することが可能で、かつ、人がぶつかっても安全な緩衝機能を有する広告表示体であって、広告を記したシートを着脱自在に装着することにより、繰り返し使用することができる緩衝性広告表示体及び広告表示方法を提供することを目的とする。
【課題を解決するための手段】
【０００４】
本発明の緩衝性広告表示体は、広告を記した広告シートを着脱自在に装着し、柱状建造物に巻付けて広告を表示する、厚み方向に弾性を有する帯状の緩衝性広告表示体であって、上記柱状建造物に接触する裏面側を形成する柔軟性シートと、上記柔軟性シートの両端を係合する係合部と、上記柔軟性シートを分断して形成された対向辺相互を連結する連結部材により上記柱状建造物への巻付長を自在に調整する調整部と、上記調整部及び上記係合部が形成された領域を除く上記柔軟性シートの表面領域全体に貼着された弾性部材と、を有することを特徴とする。
このように、柔軟性シートと弾性部材が貼着され、弾性部材により厚み方向の衝撃が緩衝されるので、人がぶつかっても安全である。また、柔軟性シートを柱状建造物に巻き付けて両端を係合した後、調整部で巻付長を調整して、柱状建造物にしっかりと固定することができるので、取り付け、取り外しが容易である。
ここで、上記柔軟性シートは、上記裏面側の２つの長辺に第１の面ファスナを有す
るものであって、上記広告シートは、上記弾性部材表面上に展張された２つの長辺それぞれを上記柔軟性シート側に折り曲げて、該広告シートの裏面の2つの長辺に貼着された第2の面ファスナを上記第１の面ファスナに係合させることにより着脱自在に装着されることが好ましい。
このように、広告シートの長辺を折り曲げ、緩衝性広告表示体の裏面側にある柔軟性シートの面シートと係合させて装着することができるので、広告シートの取り換えが自在にできる一方、装着された広告シートがいたずらなどによって剥がされるおそれがない。
また上記係合部は、上記柔軟性シートの2つの短辺に接合された雌雄のファスナからなることが好ましい。
このように、ファスナを開閉することにより両端を係合させることができるので、柱状建造物への取り付け、取り外しが容易である。
また、上記調整部は、上記対向辺それぞれの縁に複数の係止部を有し、該対向辺それぞれの該係止部に上記連結部材を交互に係止することにより該対向辺相互を自在に連結するものであることが好ましい。
このように、柔軟性シートを分断して、その対向辺に複数の孔、あるいはフックなどの係止部を設け、それらをロープやひもなどの連結部材を対向辺相互の係止部に交互に係止して、連結部材による連結を緩めたり、絞ったりすれば、巻付長を自在に調整することができる。
さらに、２つの長辺それぞれの縁に、弾性棒状体を備えたり、あるいは上記広告シートが、上記２つの長辺それぞれの、上記柔軟性シート側に折り曲げる位置に、弾性棒状体を備えることも好ましい態様である。
このように、弾性棒状体を、広告表示体の２つの長辺それぞれの縁に備えたり、あるいは広告シートの２つの長辺それぞれの折り曲げ位置に備えれば、柱状建造物に巻き付けたときに、広告シートにしわができにくい。
本発明の広告表示方法は、両端相互を係合する係合部及び長さを調整する調整部を有する帯状の広告表示体であって、裏面側の２つの長辺の縁に第１の面ファスナを有するものに、広告を記した広告シートを着脱自在に装着し、柱状建造物に広告を表示する広告表示方法であって、上記広告シートの裏面上に、裏面側を上にした上記広告表示体を載置し、上記広告シートの２つの長辺それぞれを該広告表示体の裏面側に折り曲げて、該広告シートの上記第１の面ファスナに係合する位置に第２の面ファスナを貼着し、上記広告シートを上記広告表示体に着脱自在に装着することを特徴とする。
このように、広告表示体表面に広告シートを展張してその長辺を折り曲げ、広告表示体裏面側に面ファスナで広告シートを固定するので、柱状建造物に巻き付けた広告シートがいたずらなどで剥がされる恐れがない。
ここで、上記広告シートの上記２つの長辺それぞれの、上記広告表示体の裏面側に折り曲げる位置に、弾性棒状体を設置してもよい。
このように折り曲げる個所に弾性棒状体が設置されていれば、広告シートを広告表示体に装着して柱状建造物に巻き付けたとき、広告シートにしわができにくい。
また、上記調整部は、上記広告表示体を分断して形成された対向辺それぞれの縁に設けられた複数の係止部と、上記対向辺それぞれの縁に設けられた複数の係止部と、該対向辺それぞれの該係止部に交互に係止させ、該対向辺相互を連結する連結部材とを有するものであって、上記連結部材による連結を緩めて上記対向辺相互の間隔を拡げた後に、上記広告表示体を所定の柱状構造物に巻付け、上記係合部で両端相互を係合した後に、上記連結部材による連結を絞って上記間隔を縮小し、上記広告表示体を上記柱状建造物に固定することが好ましい。
このように、連結部材による連結を緩めて長さを長くした後に、広告表示体を所定の柱状構造物に巻付けて、ファスナなどの係合部で両端を係合すれば、径の異なる柱状建造物に広告表示体を容易に取り付けることができ、また連結部材を絞るだけでしっかりと固定することができる。
さらに、上記広告表示体は、上記係合部及び上記調整部が形成された柔軟性シートと、該係合部及び該調整部が形成された領域を除く該柔軟性シートの表面領域全体に、厚み方向に弾性を有する弾性部材が貼着され、上記広告シートは、該弾性部材表面上に展張されたものであって、上記広告シートの上記長辺それぞれを上記裏面側に折り曲げた折りしろの該係合部及び該調整部が形成された領域との境界に切れ目を設け、上記柱状構造物に固定された該広告表示体の該係合部及び該調整部が形成された領域に弾性部材をあてがい、該広告シートの上記第１の面ファスナに係合されない部分で該弾性部材を覆い、粘着テープで該部分を固定することも好ましい。
このように弾性部材が全面に貼着されていれば、人がぶつかったときでも怪我をする恐れが少ないうえ、広告シートに切れ目を入れ、係合部と調整部が形成された領域の折りしろは重ね合わされるので、広告シートの合わせ目の始末がすっきりする。
【発明の効果】
【０００５】
本発明の緩衝性広告表示体によれば、巻付長を自在に調整する調整部と、ファスナなどからなる係合部とが設けてあるので、径の異なる大型柱など、各種建造物に巻き付けることが容易であり、かつ、弾性部材が全面に貼着されているので、人がぶつかっても安全である。また広告を記した広告シートを着脱自在に装着できるので、長期間表示する場合や短期間表示する場合のいずれの場合でも、広告シートを取りかえて、繰り返し使用することができる。さらに、緩衝性広告表示体または広告シートに弾性を有する棒状体を備えれば、装着した広告シートにしわが生じにくい。
また、本発明の広告表示方法によれば、広告シートの長辺を折り曲げ、広告表示体裏面側に面ファスナで固定するので、広告シートがいたずらなどで剥がされる恐れがない。さらに、ロープなどの連結部材による連結を緩めて長さを長くした後に、広告表示体を所定の柱状構造物に巻付けて、ファスナなどの係合部で両端を係合できるので、径の異なる柱状建造物に広告表示体を容易に取り付けることができ、また連結部材を絞るだけでしっかりと固定することもできる。
【発明を実施するための最良の形態】
【０００６】
以下に、本発明の緩衝性広告表示体及び広告表示方法の実施形態について説明する。
「第1の実施形態」
図1〜図３は、本発明の緩衝性表示体及び広告表示方法の第1の実施形態に適用され、柱状建造物に巻き付けて広告を表示する、緩衝機能を有する緩衝性広告表示体を示す図である。
図1は、緩衝性広告表示体の裏面を示す図であり、図2は、緩衝性広告表示体の表面を示す図であり、図３は、緩衝性広告表示体長辺の側面を示す図である。
図１〜図３に示すように、第１の実施形態の緩衝性広告表示体１は、巻き付けたときに柱状建造物に接触する裏面側を形成する柔軟性シート１１と、その柔軟性シート１１の2つの短辺それぞれに設置され、柔軟性シート１１の両端を係合する係合部１２と、柔軟性シート１１の一端寄りを分断して形成された対向辺５相互を連結部材６で連結し、その連結部材６を緩めたり、絞ったりすることで柱状建造物への巻付長を自在に調整する調整部１３と、係合部１２及び調整部１３が形成された領域を除く柔軟性シート１１の表面領域全体に貼着された弾性部材１５と、により構成されている。
ここで、柔軟性シート１１は、柱状建造物に自在に巻き付け可能な程度の柔軟性と、ある程度の引っ張り強度を有するものあれば特に限定されない。例えば、ポリオレフィン系樹脂、エチレン・プロピレン共重合体、エチレン・プロピレン・オレフィン共重合体などの各種エラストマー、塩化ビニル樹脂、その他の熱可塑性樹脂が用いられ、特に、加工性及び取扱いの容易性から軟質乃至半硬質の塩化ビニル樹脂系シート材が好ましい。また、柱状建造物が屋外に設置されている場合には、さらに耐候性、防炎性を有する物質を塗布、コーテイング等したものが好ましく、柱状建造物がコンクリートなどの場合には、さらに耐摩耗性を有するもの、塗装されて表面が滑らかな場合には、摩擦係数の大きい物質を塗布、コーテイング等したものが好ましい。
なお、柔軟性シート１１の裏面側を形成する2つの長辺の縁近くには、広告シートを係合する第1の面ファスナ（例えば雌の面ファスナ）１４が一定の間隔をあけて直列に貼着されている。
係合部１２は、雌雄ファスナの何れか一方を柔軟性シート１１の２つの短辺の辺縁に縫合、融着、あるいは接着することにより形成されているが、必ずしもこれに限定する必要はなく、柔軟性シート１１の両端を係合できれば、雌雄のフックをくくりつけたものなどでもよい。
また、調整部１３は、柔軟性シート１１を分断して形成された対向辺５それぞれの縁に複数の鳩目（本発明の係止部７に相当する。以下、符号7で表示する。）を設け、対向辺５それぞれの鳩目にロープ（本発明の連結部材６に相当する。以下、符号６で表示する。）を交互に通してその対向辺５相互を連結し、ロープ６を緩めれば巻付長を長くすることができ、ロープ６を絞れば巻付長を短くすることができる。なお、係止部７は、必ずしも鳩目に限定する必要はなく、例えばリングなどを対向辺の縁にくくりつけることによって形成してもよい。
なお、調整部１３は、緩衝性広告表示体１を柱状建造物に巻き付けたときの広告シート１０の端の始末をすっきりさせるためには、柔軟性シート１１の端寄りに設けることが好ましい。
また、弾性部材１５は、厚み方向に弾性を有する部材、例えばポリエーテル系ウレタンフォーム、ポリエステル系ウレタンフォーム、電子照射ポリオレフィン系フォームなど、人や物が衝突したときに衝撃が緩和される程度のエネルギー吸収性を有するプスチックフォームを用いることが好ましい。
本実施形態の緩衝性広告表示体１は、柔軟性シート１１に弾性部材１５が貼着されているが、本実施形態の広告表示方法に用いる場合には、必ずしも弾性部材１５が貼着されたものである必要はなく、柔軟性シート１１の代わりに、クッション層を有する多層構造の積層シートを用いてもよい。以下では、柔軟性シート１１に弾性部材１５が貼着されている場合、及び柔軟性シートの代わりに積層シートを用いる場合を含めて、緩衝性広告表示体１と称する。
【０００７】
図４〜図６は、第１の実施形態の緩衝性広告表示体に広告シートを装着する方法を示す図である。図４は、緩衝性広告表示体の裏面側を示す図であり、図５は、広告シートを装着する図であり、図６は、広告シートの短辺の側面を示す図である。
図４に示すように、本実施形態の緩衝性広告表示体１は、裏面側を形成する柔軟性シート１１と、その柔軟性シート１１の2つの短辺それぞれに設置され、柔軟性シート１１の両端を係合する雌雄のファスナが縫合された係合部１２と、柔軟性シート１１の一端寄りを分断して形成された対向辺５相互に設けられた鳩目７にロープ６を交互に連結し、柱状建造物への巻付長を自在に調整する調整部１３と、雌雄のファスナからなる係合部１２及び調整部１３が形成された領域を除く柔軟性シート１１の表面領域全体に貼着された弾性部材１５とを有する。そして、緩衝性広告表示体１の裏面側を形成する柔軟性シート１１の2つの長辺の辺縁それぞれには、第1の面ファスナ（例えば雌の面ファスナ）１４が貼着されている。
図５に示すように、緩衝性広告表示体１を広告シート１０の裏面上に載置し、広告シート１０の２つの長辺１０ａそれぞれを緩衝性広告表示体１の裏面側に折り曲げるとともに、折り曲げた広告シート１０の裏面の、緩衝性広告表示体１の裏面側に貼着された第１の面ファスナ１４と係合する位置に第２の面ファスナ（例えば雄の面ファスナ）９を貼着する。
そして、第2の面ファスナ９で第1の面ファスナ１４と係合させ、広告シート１０を緩衝性広告表示体１に着脱自在に装着する。
このとき、広告シート１０を緩衝性広告表示体１の裏面側に折り曲げた折りしろ１０ｂのうち、係合部１２と調整部１３とが形成された領域との境界に切れ目１０ｃを設け、係合部１２及び該調整部１３が形成された領域側の折りしろ１０ｂｂは、広告シート１０同志を重ね合わせておく。
ここでは、第1の面ファスナ１４及び第2の面ファスナ９は、一定の間隔をあけ、一列に並べて貼着されている。ただし、必ずしも一列に貼着する必要はなく、広告シート１０の大きさや重さに応じて、複数列に並べてもよいし、一定の間隔をあけずに帯状に並べてもよい。
なお、本実施形態では、雌雄の面ファスナを用いて広告シート１０を装着しているが、必ずしも面ファスナを用いる必要はなく、広告シート１０の２つの長辺の辺縁それぞれに鳩目やフックを設け、対向する鳩目やフックをロープでくくりつけたり、ゴムなどの弾性部材で掛け止めして広告シート１０を緩衝性広告表示体１に装着してもよい。
図６に短辺の側面を示すように、本実施形態に用いる広告シート１０は、２つの長辺それぞれの、柔軟性シート側に折り曲げる位置に、弾性棒状体２０が縫合、接着、あるいは融着により設置されている。
ここで、広告シートには、溶剤系又は油性系大型インクジェットプリンタによって印刷が可能な、塩ビ、ターポリン、バックリット、フロントリット、ＰＥＴ、布などのメディアを用いることができる。ただし、屋外に表示する場合には、耐候性、防炎性を有する難燃性ポリエステル、アラミド繊維、ポリ塩化ビニリデン繊維、ポリイミド繊維などを素材としたシート、フィルムなどを用いてもよい。
弾性棒状体２０は、柱状建造物に繰り返し巻き付けることが可能で、微小な屈曲を生じない部材、例えばガラス繊維束、あるいはガラス繊維基材フェノール樹脂、ビニル被覆鋼線、硬質シートなどを巻いたものなどを用いることができる。なお、復元性を有する部材であればより好ましい。
このように、広告シート１０を折れ曲げる位置に弾性棒状体２０が設置されているので、柱状建造物に巻き付けたとき、広告シート１０にしわが生じにくい。
本実施形態に用いる広告シート１０は、弾性棒状体２０を備えているが、弾性棒状体２０は必ずしも必要としない。また、広告シートに切れ目１０ｃを設けているが必ずしも必要としない。
【０００８】
図７〜図１０は、第１の実施形態の緩衝性広告表示体を柱状建造物に巻き付けて広告を表示する方法を示す図である。
図７に示すように、調整部１３のロープによる連結を緩めて、緩衝性広告表示体１を分断して形成された対向辺５相互の間隔を拡げた後に、緩衝性広告表示体１を所定の柱状構造物Ｐに巻付け、係合部１２の雌雄のファスナで緩衝性広告表示体１の両端相互を係合した後に、ロープ１３による連結を絞って対向辺５相互の間隔を縮小し、緩衝性広告表示体１を柱状建造物Ｐに固定する。このとき、このとき、係合部１２及び調整部１３が形成された領域側の折りしろ１０ｂｂは、広告シート１０同志で重ね合わされている。
図８に示すように、柱状構造物Ｐに固定された緩衝性広告表示体１の係合部１２及び調整部１３が形成された領域に弾性部材片１５ａをあてがう。
図９及び図１０に示すように、広告シート１０の、第１の面ファスナに係合されない部分１０ｄを、弾性部材片１５ａに被せ、粘着テープ又は両面テープなどを用いて広告シート１０の両端１０ｅを緩衝性広告表示体１にしっかりと固定する。
【０００９】
「第２の実施形態」
第1の実施形態では、広告シートが弾性棒状体を備えるのに対して、第2の実施形態では、緩衝性広告表示体の2つの長辺それぞれの縁に、弾性棒状体を備える点が相違する。ただし、それ以外の点は共通するので、重複説明を回避するため、相違点のみに限定して説明する。
図１１は、第2の実施形態の緩衝性広告表示体長辺の中央部を切断した断面図である。
第2の実施形態の緩衝性広告表示体１は、柱状建造物に自在に巻き付け可能な程度の柔軟性、及びある程度の引っ張り強度を有する柔軟性シート１１と、厚み方向に弾性を有する弾性部材１５とが貼着されている。そして、柔軟性シート１１の長辺の辺縁が縫合されて袋状部１１ａが形成され、その袋状部１１ａに弾性棒状体２０が挿入されている。
ここでは、袋状部１１ａを設け、その袋状部１１ａに棒状弾性体２０挿入しているが、必ずしもこれに限定されず、柔軟性シート１１あるいは弾性部材１５の2つの長辺の辺縁に接着したり、融着したりして弾性棒状体２０を設置してもよい。
【図面の簡単な説明】
【００１０】
【図１】第1の実施形態に適用される緩衝機能を有する緩衝性広告表示体の裏面を示す図である。
【図２】第1の実施形態に適用される緩衝機能を有する緩衝性広告表示体の表面を示す図である。
【図３】第1の実施形態に適用される緩衝機能を有する緩衝性広告表示体長辺の側面を示す図である。
【図４】第１の実施形態の緩衝性広告表示体の裏面側を示す図である。
【図５】第１の実施形態の緩衝性広告表示体に広告シートを装着する方法を示す図である。
【図６】広告シートの短辺の側面を示す図である。
【図７】第１の実施形態の緩衝性広告表示体を柱状建造物に巻き付けて広告を表示する方法を示す図である。
【図８】第１の実施形態の緩衝性広告表示体を柱状建造物に巻き付けて広告を表示する方法を示す図である。
【図９】第１の実施形態の緩衝性広告表示体を柱状建造物に巻き付けて広告を表示する方法を示す図である。
【図１０】第１の実施形態の緩衝性広告表示体を柱状建造物に巻き付けて広告を表示する方法を示す図である。
【図１１】第2の実施形態の緩衝性広告表示体長辺の中央部を切断した断面図である。
【符号の説明】
【００１１】
１    緩衝性広告表示体
５    対向辺
６    連結部材
７    係止部
９    第２の面ファスナ
１０  広告シート
１０ａ  長辺
１０ｂ、１０ｂｂ  折りしろ
１０ｃ  切れ目
１１  柔軟性シート
１１ａ  袋状部
１２  係合部
１３  調整部
１４  第１の面ファスナ
１５  弾性部材
２０  弾性棒状体
【図１】
0005022251.tif 000002
【図２】
0005022251.tif 000003
【図３】
0005022251.tif 000004
【図４】
0005022251.tif 000005
【図５】
0005022251.tif 000006
【図６】
0005022251.tif 000007
【図７】
0005022251.tif 000008
【図８】
0005022251.tif 000009
【図９】
0005022251.tif 000010
【図１０】
0005022251.tif 000011
【図１１】
0005022251.tif 000012